(57)【特許請求の範囲】
【請求項１】
果実を載置支持する支持部材を前側壁、左右側壁、後側壁を備えた箱体内に収容して使用する展示用箱において、
前記支持部材は、紙又はプラスチックで構成された薄い一枚のシート状部材を折り曲げることによって構成され、前記シート状部材は、果実を載置する矩形状の受け部と、該受け部の前側の辺に連接された前側脚部と、該受け部の左右側の辺に連接された左右脚部と、該左右脚部それぞれの前後端から前後方向に延びる前後一対の補強用脚部とを備え、前記受け部の前側の辺で上下方向下向きに折り曲げられた前記前側脚部の下端が前記箱体の底壁に当接し、かつ、前記受け部の左右側の辺で上下方向下向きに折り曲げられた前記左右脚部の下端が前記箱体の底壁に当接し、さらに、前記左右脚部の下端が前記箱体の底壁に当接した状態において該左右脚部の前後端で前記受け部側に折り曲げることによって前記前後一対の補強用脚部の上下端が前記受け部と前記箱体の底壁とにそれぞれ当接して、前記受け部を、前側脚部と左右脚部と補強用脚部とで支えることを特徴とする展示用箱。
【請求項２】
前記左右脚部の下端が前記箱体の底壁に当接し、かつ、前記左右脚部の前後一対の補強用脚部の上下端が前記受け部と前記箱体の底壁とにそれぞれ当接した状態において、左側から右側に延びる前記前後一対の補強用脚部の先端部と右側から左側に延びる前記前後一対の補強用脚部の先端部とが前後方向で重複するよう、前記左右の前後一対の補強用脚部の長さが設定されるとともに、前記重複した状態で該左右の前後一対の補強用脚部の先端部同士が互いに係合するための係合部を該先端部に備え、前記先端部同士が係合した状態において前記左右の前後一対の補強用脚部と前記左右脚部とで環状の脚部を構成することを特徴とする請求項１に記載の展示用箱。
【請求項３】
前記箱体の後側壁が、前側壁よりも背が高い壁に構成され、前記受け部の後側の辺に連接され該後側の辺で上下方向上向きに折り曲げて前記箱体の後側壁面を覆う化粧板部を備え、前記化粧板部の上端部の左右両端に左右方向外側に突出して前記箱体の左右側壁に係止する突出部を備えていることを特徴とする請求項１又は２に記載の展示用箱。
【請求項４】
前記箱体の後側壁が、前側壁よりも背が高い壁に構成され、前記受け部の後側の辺に連接され該後側の辺で上下方向下向きに折り曲げて前記箱体の底壁に当接する後側脚部と、該後側脚部の下端部で上下方向上向きに折り返されることによって前記箱体の後側壁面を覆う化粧板部とを備えていることを特徴とする請求項１又は２に記載の展示用箱。
【発明の詳細な説明】
【技術分野】
【０００１】
本発明は、メロン、パパイヤ、マンゴー、桃等の果実を載置して例えば店頭に展示するための展示用箱に関する。
【背景技術】
【０００２】
果実の中でも高級品であるメロンを例に挙げて説明する。メロンを一個ずつ展示用箱に収容することによって、高級感を出して購買意欲を高めることが行われている。一例として、ダンボール紙からなる薄い一枚のシート状部材を折り曲げることによって、展示用箱を組み立てるものが従来から提案されている（例えば特許文献１参照）。
【０００３】
上記展示用箱は、トラックの荷台に積んで輸送する時に、メロンが飛び出すことがないようにメロンの半分以上を保持することができる凹部を内部に形成し、その凹部にメロンを収容している。
【先行技術文献】
【特許文献】
【０００４】
【特許文献１】特開平５−７７８７１号公報
【発明の概要】
【発明が解決しようとする課題】
【０００５】
上記特許文献１によれば、展示用箱に収容されるメロンのほとんどの部分が箱の内部に入り込んだ状態になってしまう。そのため、メロンの露呈される部分が非常に少なくなり、購買意欲を損なうことになる。
【０００６】
そこで、従来から、図９に示すように、メロンＭを載置支持する支持部材１００を、前方及び上方並びに左右の横側方が開放され、かつ、前壁２０１に対して後壁２０２が上方へ延出された箱体２００内に収容してなる展示用箱が用いられている。前記支持部材１００は、ダンボール紙でなる薄い一枚のシート状部材を折り曲げることによって構成される。この支持部材１００は、中央に果実の位置決め用の開口１０１Ａが形成された矩形状の受け部１０１と、受け部１０１の前側の辺で上下方向下向きに折り曲げられた前側脚部１０２と、受け部１０１の左右側の辺で上下方向下向きに折り曲げられた左右脚部１０３，１０４と、受け部１０１の後側の辺で上下方向上向きに折り曲げられて箱体２００の後側壁面を覆う化粧板部１０５とを備えている。
【０００７】
図９に示す支持部材１００では、受け部１０１の外周の３辺を、前側脚部１０２と左右脚部１０３，１０４とで支持する構成になっている。しかし、受け部１０１の内側部分及び後側部分が支持されていない状態であるため、重量のあるメロンを良好に支えることができない。このため、受け部１０１の内側部分及び後側部分がメロンＭの重量で下方へ凹んでしまう。これに伴って、箱体２００の後側壁面を覆っている化粧板部１０５も下方へ下がってしまい、箱体２００の後側壁面の上部が露出して見栄えが悪くなってしまう。そのため、受け部１０１の内側部分及び後側部分がメロンの重量で下方へ凹むことがないように、粘着テープを用いて箱体２００の左右の側壁２０４，２０４と受け部１０１の左右の辺部とを多数箇所繋ぎ止める作業を行っている。このような作業を行うことが手間のかかる余分な作業になっており、改善の余地があった。
【０００８】
本発明が前述の状況に鑑み、解決しようとするところは、余分な作業を行うことなく、果実を確実に載置支持することができる展示用箱を提供することにある。
【課題を解決するための手段】
【０００９】
本発明の展示用箱は、前述の課題解決のために、果実を載置支持する支持部材を前側壁、左右側壁、後側壁を備えた箱体内に収容して使用する展示用箱において、前記支持部材は、紙又はプラスチックで構成された薄い一枚のシート状部材を折り曲げることによって構成され、前記シート状部材は、果実を載置する矩形状の受け部と、該受け部の前側の辺に連接された前側脚部と、該受け部の左右側の辺に連接された左右脚部と、該左右脚部それぞれの前後端から前後方向に延びる前後一対の補強用脚部とを備え、前記受け部の前側の辺で上下方向下向きに折り曲げられた前記前側脚部の下端が前記箱体の底壁に当接し、かつ、前記受け部の左右側の辺で上下方向下向きに折り曲げられた前記左右脚部の下端が前記箱体の底壁に当接し、さらに、前記左右脚部の下端が前記箱体の底壁に当接した状態において該左右脚部の前後端で前記受け部側に折り曲げることによって前記前後一対の補強用脚部の上下端が前記受け部と前記箱体の底壁とにそれぞれ当接して、前記受け部を、前側脚部と左右脚部と補強用脚部とで支えることを特徴としている。
【００１０】
かかる構成によれば、前側脚部と左右脚部の他に、補強用脚部で受け部を支持する構成にすることによって、受け部の内側部分及び後側部分が果実の重量で下方へ凹むことを確実に抑制することができる。
【００１１】
また、本発明の展示用箱は、前記左右脚部の下端が前記箱体の底壁に当接し、かつ、前記左右脚部の前後一対の補強用脚部の上下端が前記受け部と前記箱体の底壁とにそれぞれ当接した状態において、左側から右側に延びる前記前後一対の補強用脚部の先端部と右側から左側に延びる前記前後一対の補強用脚部の先端部とが前後方向で重複するよう、前記左右の前後一対の補強用脚部の長さが設定されるとともに、前記重複した状態で該左右の前後一対の補強用脚部の先端部同士が互いに係合するための係合部を該先端部に備え、前記先端部同士が係合した状態において前記左右の前後一対の補強用脚部と前記左右脚部とで環状の脚部を構成していてもよい。
【００１２】
上記構成によれば、左右の前後一対の補強用脚部の先端部同士を係合して、補強用脚部と左右脚部とで環状の脚部を構成すれば、脚部の強度を高めることができ、受け部の内側部分及び後側部分が果実の重量で下方へ凹むことを、より一層確実に抑制することができる。
【００１３】
また、本発明の展示用箱は、前記箱体の後側壁が、前側壁よりも背が高い壁に構成され、前記受け部の後側の辺に連接され該後側の辺で上下方向上向きに折り曲げて前記箱体の後側壁面を覆う化粧板部を備え、前記化粧板部の上端部の左右両端に左右方向外側に突出して前記箱体の左右側壁に係止する突出部を備えていてもよい。
【００１４】
上記構成によれば、箱体の後側壁面を化粧板部で覆うことによって、後側壁面を化粧することができながらも、箱体の左右側壁に突出部が係止することによって、後側壁が下方へ移動し難くなり、受け部の内側部分及び後側部分が果実の重量で下方へ凹むことを、より一層確実に抑制することができる。
【００１５】
また、本発明の展示用箱は、前記箱体の後側壁が、前側壁よりも上方に延出され、前記受け部の後側の辺に連接され該後側の辺で上下方向下向きに折り曲げて前記箱体の底壁に当接する後側脚部と、該後側脚部の下端部で上下方向上向きに折り返されることによって前記箱体の後側壁面を覆う化粧板部とを更に備えていてもよい。
【００１６】
上記構成によれば、受け部の後側を支持する後側脚部を設けることによって、受け部の内側部分及び後側部分が果実の重量で下方へ凹むことを、より一層確実に抑制することができる。また、箱体の後側壁面を化粧板部で覆うことによって後側壁面を化粧することができる。
【発明の効果】
【００１７】
本発明によれば、前側脚部と左右脚部の他に、補強用脚部で受け部を支持する構成にすることによって、余分な作業を行うことなく、果実を確実に載置支持することができる展示用箱を提供することができる。
【図面の簡単な説明】
【００１８】
【図１】本発明の第一実施形態の展示用箱を示し、（ａ）は分解斜視図、（ｂ）は運搬時の状態を示す斜視図、（ｃ）は展示状態を示す斜視図である。
【図２】図１の展示用箱の支持部材を示し、（ａ）は側面図、（ｂ）は底面図である。
【図３】支持部材が収容された箱体の平面図である。
【図４】支持部材の展開図である。
【図５】本発明の第二実施形態の展示用箱の支持部材を示し、（ａ）は側面図、（ｂ）は底面図である。
【図６】本発明の第三実施形態の展示用箱の支持部材を示し、（ａ）は側面図、（ｂ）は底面図である。
【図７】第三実施形態の支持部材を展示用箱の箱体内に収容した状態を示し、（ａ）は展示状態を示す斜視図、（ｂ）は化粧板部の上部を示す展示用箱の縦断正面図である。
【図８】第三実施形態の支持部材の展開図である。
【図９】従来の展示用箱の支持部材を示し、（ａ）は側面図、（ｂ）は底面図である。
【発明を実施するための形態】
【００１９】
以下、本発明に係る展示用箱の第一実施形態について、図面を参照しつつ説明する。展示用箱は、図１（ａ）に示すように、果実を載置支持する支持部材１と、この支持部材１を収容するために前方及び上方並びに左右の横側方の一部が開放された箱体２と、この箱体２の開口を閉じて輸送するための蓋体３とを備えている。従って、図１（ａ）の実線で示すように、蓋体３を箱体２に矢印の方向へ被せることによって、図１（ｂ）に示すように箱体２の開口を閉じることができるようにしている。また、図１（ａ）の二点鎖線で示すように、蓋体３を図のように実線で示す蓋体３から上下が反対となるようにひっくり返してから、そのひっくり返した蓋体３に箱体２を上方から収容することによって、図１（ｃ）に示すようにメロンＭを載置して展示する状態にすることができる。尚、展示する果実としては、図１（ａ），（ｃ）に示すメロンＭの他、パパイヤ、マンゴー、桃等の各種の果実であってもよい。
【００２０】
＜第一実施形態＞
箱体２は、一枚のダンボール紙を折り曲げることによって組み立てられる。この組み立てられた箱体２は、前方及び上方並びに左右の横側方の一部が開放された箱に構成されている。具体的には、図１に示すように、矩形状（ここでは、正方形であるが、長方形であってもよい）の底壁２１と、底壁２１の４辺から立ち上げられる４つの側壁２２，２３，２４，２５とからなっている。４つの側壁は、横に長い長方形の前側壁２２，縦に長い（前側壁２２の縦寸法よりも２倍以上長い）長方形の後側壁２３，前側壁２２の左右上端と後側壁２３の左右上端とをそれぞれ繋ぐ台形状の左右の側壁２４，２５から構成される。
【００２１】
蓋体３は、箱体２と同様に、一枚のダンボール紙を折り曲げることによって組み立てられる。また、蓋体３は、箱体２と同一形状で、かつ、箱体２に被せることができるように一回り大きなサイズになっている。具体的には、図１に示すように、矩形状（ここでは、正方形であるが、長方形であってもよい）の天壁３１と、天壁３１の４辺から立ち下げられる４つの側壁３２，３３，３４，３５とからなっている。４つの側壁は、横に長い長方形の後側壁３２，縦に長い（後側壁３２の縦寸法よりも２倍以上長い）長方形の前側壁３３，後側壁３２の左右下端と前側壁３３の左右下端とをそれぞれ繋ぐ台形状の左右の側壁３４，３５から構成される。
【００２２】
箱体２に収容される支持部材１は、図４に示すように、一枚のダンボール紙（薄いシート状部材、例えば厚みが０．５ｍｍ〜５ｍｍｍｍ）からなり、このダンボール紙を折り曲げることによって組み立てられる。
【００２３】
図１（ａ），（ｂ）、図２（ａ），（ｂ）及び図３で示す支持部材１（シート状部材）は、図４で示すダンボール紙でなるシート状部材を折り曲げて組み立てられる。このシート状部材は、果実の一部が入り込んで位置決めされる開口１１Ａが形成された矩形状（ここでは、正方形）の受け部１１と、受け部１１の前側の辺１１ａに連接された長方形の前側脚部１２と、受け部１１の左右側の辺１１ｂ，１１ｃに連接された長方形に形成された一対の左右脚部１３，１４と、左右脚部１３，１４それぞれの前後端から前後方向に延びる前後一対の補強用脚部１５Ａ，１５Ｂ、１６Ａ，１６Ｂとを備えている。
【００２４】
前側脚部１２は、前側の辺１１ａで９０度山折りすることによって、水平方向の受け部１１に対して上下方向下向きとなる。この下向きになった前側脚部１２の下端が箱体２の底壁２１の上面に当接することにより、受け部１１を支持する。また、左右脚部１３，１４は、左右側の辺１１ｂ，１１ｃで９０度山折りすることによって、水平方向の受け部１１に対して上下方向下向きとなる。この下向きになった左右脚部１３，１４の下端が箱体２の底壁２１の上面に当接することにより、受け部１１を支持する。また、下向きになった前後一対の補強用脚部１５Ａ，１５Ｂ、１６Ａ，１６Ｂを、左右脚部１３，１４それぞれの前後端の折り曲げ線１３ａ，１３ｂ、１４ａ，１４ｂで所定角度（図ではほぼ６０度であるが、開口１１Ａに干渉しない角度であればどのような角度でもよい。）山折りすることによって、受け部１１の下方に位置する。これにより、補強用脚部１５Ａ，１５Ｂ、１６Ａ，１６Ｂの上端が受け部１１の下面に当接し、かつ、補強用脚部１５Ａ，１５Ｂ、１６Ａ，１６Ｂの下端が箱体２の底壁２１の上面に当接して、受け部１１を左右方向で支持する。
【００２５】
また、前述のように、左右脚部１３，１４が受け部１１を支える状態で、かつ、左右脚部１３，１４それぞれの前後一対の補強用脚部１５Ａ，１５Ｂ又は１６Ａ，１６Ｂが受け部１１を支える状態において、左側から右側に延びる前後一対の補強用脚部１５Ａ，１５Ｂと右側から左側に延びる前後一対の補強用脚部１６Ａ，１６Ｂの先端部とが前後方向で重複するよう、左右の前後一対の補強用脚部１５Ａ，１５Ｂ、１６Ａ，１６Ｂの長さを設定している。しかも、前記重複した状態で左右の補強用脚部１５Ａ，１５Ｂ、１６Ａ，１６Ｂの先端部同士が互いに係合するための係合部としての切欠き１５ａ，１５ｂ、１６ａ，１６ｂを先端部１５Ａ１，１５Ｂ１、１６Ａ１，１６Ｂ１に備えている。従って、切欠き１５ａと１６ａ、１５ｂと１６ｂをそれぞれ係合した係合状態において、補強用脚部１５Ａ，１５Ｂ、１６Ａ，１６Ｂと左右脚部１３，１４とで環状（図では六角形）の脚部を構成している。
【００２６】
開口１１Ａの周縁には、開口１１Ａの中心に向かう同一長さで複数（図４では１２個）の切り込み１１Ｋが周方向に沿って一定間隔置きに形成されている。従って、開口１１ＡにメロンＭを載置させることによって、円周上に形成された折り曲げ線１１Ｚで隣り合う切り込み１１Ｋ，１１Ｋ間の片部１１Ｈが、先端側ほど下方に位置するように折れ曲がる。これによって、メロンＭの一部が開口１１Ａに入り込み、メロンＭを開口１１Ａで位置決めした状態で安定良く保持することができる。
【００２７】
前記のように、前側脚部１２と左右脚部１３，１４の他に、前後一対の補強用脚部１５Ａ，１５Ｂ、１６Ａ，１６Ｂで受け部１１を支持する構成にすることによって、受け部１１の内側部分及び後側部分がメロンＭの重量で下方へ凹むことを確実に抑制することができる。しかも、補強用脚部１５Ａ，１５Ｂ、１６Ａ，１６Ｂと左右脚部１３，１４とで環状の脚部を構成することによって、脚部の強度を高めることができ、受け部１１の内側部分及び後側部分がメロンの重量で下方へ凹むことを、より一層確実に抑制することができる。
【００２８】
更に、受け部１１の後側の辺１１ｄに連接され、後側の辺１１ｄで９０度山折りすることによって、上下方向下向きに折り曲げて箱体２の底壁２１の上面に当接する長方形の後側脚部１７と、後側脚部１７の下端部で上下方向上向きに折り返して箱体２の後側壁２３の表面を覆う化粧板部１８とを備えている。
【００２９】
後側脚部１７について詳述すれば、図２（ａ），（ｂ）及び図４に示すように、後側脚部１７の下端部、つまり後側脚部１７と化粧板部１８との境界部分に化粧板部１８を谷折りするための折り曲げ線１７ａを備え、その折り曲げ線１７ａの中央部に化粧板部１８側に突出する凸状の切り込み線１７Ｋが形成されている。従って、受け部１１の後側の辺１１ｄで後側脚部１７を９０度山折りしてから、後側脚部１７の下端部の折り曲げ線１７ａで化粧板部１８を１８０度谷折りすることによって、下方に突出する凸状の当接片１７Ｚが後側脚部１７の左右方向中央に現出される。そして、この当接片１７Ｚの先端（下端）が、底壁２１の上面に当接することによって、受け部１１の後側を支持することができる。前記のように当接片１７Ｚを備えることによって、折り曲げ線１７ａを箱体２の底壁２１の上面よりも上方に位置させることができる。これにより、化粧板部１８の上下寸法を短くすることができ、その分、紙の材料を少なくしてコストの低減を図ることができる。
【００３０】
化粧板部１８について詳述すれば、図３に示すように、箱体２に支持部材１を収納している状態においては、化粧板部１８の左右両端部１８Ａ，１８Ｂが、後側壁２３の前側面２３ａの左右両端部と左右側壁２４，２５の後側端面２４ｂ，２５ｂとの間に形成される縦溝Ｍ，Ｍに嵌合して位置決め固定される。尚、左右の各側壁２４，２５は、外側に位置する外側壁２４Ａ，２５Ａと、それの上端で内側に折り返されて外側壁２４Ａ，２５Ａに重ねられる内側壁２４Ｂ，２５Ｂとからなっている。前記左右側壁２４，２５の後側端面２４ｂ，２５ｂというのが、内側壁２４Ｂ，２５Ｂの後側端面である。
【００３１】
前記のように、受け部１１の後側を支持する後側脚部１７を設けることによって、受け部１１の内側部分及び後側部分がメロンＭの重量で下方へ凹むことを、より一層確実に抑制することができる。また、箱体２の後側壁面を化粧板部１８で覆うことによって後側壁面を化粧することができる。尚、化粧板部１８の表面に、金粉や金色の塗料などを塗布することによって、支持部材１に高級感を出すようにしてもよい。
【００３２】
図４に示すダンボール紙を折り曲げて支持部材１を組み立てる手順について説明する。まず、ダンボール紙を切断して図４に示すダンボール紙を用意する。用意されたダンボール紙の前側脚部１２を受け部１１に対して上下方向下向きになるように折り曲げる（山折りする）とともに、左右脚部１３，１４も受け部１１に対して上下方向下向きになるように折り曲げる（山折りする）。続いて、補強用脚部１５Ａ，１５Ｂ、１６Ａ，１６Ｂを開口１１Ａ側に近付くように折り曲げて（山折りして）から、先端部１５Ａ１，１５Ｂ１、１６Ａ１，１６Ｂ１の切欠き１５ａと１６ａ、１５ｂと１６ｂをそれぞれ係合して係合状態にする。更に、後側脚部１７を受け部１１の後側の辺１１ｄで受け部１１に対して上下方向下向きになるように折り曲げて（山折りして）から、後側脚部１７の下端部の折り曲げ線１７ａで谷折りすることによって、化粧板部１８が折り返されて上下方向上向きとなり、支持部材１の組み立て作業が終了する。尚、組み立てられた支持部材１は、箱体２内に収容することになる。
【００３３】
＜第二実施形態＞
次に、第二実施形態を図５（ａ），（ｂ）に基づいて説明する。第一実施形態では、箱体２の後側壁２３が、前側壁２２よりも背の高い構成としていたが、前側壁２２、左右の側壁、後側壁２３が同一高さとなる箱体２に構成している。これに伴い、化粧板部１８が、前側壁２２の上端から上方に突出しないように短い寸法にしている。尚、他の説明していない構成は、図２（ａ），（ｂ）と同一であるため、説明を省略する。
【００３４】
＜第三実施形態＞
次に、第三実施形態を図６（ａ），（ｂ）〜図８に基づいて説明する。第一実施形態及び第二実施形態では、支持部材１が後側脚部１７を備えたものから構成したが、後側脚部１７を省略した構成であってもよい。この場合、受け部１１の後端の折り曲げ線１１ａ（図８参照）で９０度谷折りすることによって、化粧板部１８が上下方向上向きとなる。
【００３５】
また、化粧板部１８の上端部の左右両端に左右方向外側に突出して箱体２の左右側壁２４，２５に係止する突出部１８Ｔ，１８Ｔを備えている。箱体２の左右側壁２４，２５に突出部１８Ｔ，１８Ｔが係止することによって、後側壁１８が下方へ移動し難くなり、受け部１１の内側部分及び後側部分が果実（ここではメロン）の重量で下方へ凹むことを、より一層確実に抑制することができる。また、左右の補強用脚部１５Ａ，１５Ｂ、１６Ａ，１６Ｂの先端部同士が互いに係合するための係合部である切欠き１５ａ，１５ｂ、１６ａ，１６ｂが図４では、凹部となっているが、図８では、切り込みから形成しており、左右の補強用脚部１５Ａ，１５Ｂ、１６Ａ，１６Ｂの先端部同士が互いに係合したときに、ガタツきが発生することを抑制することができる。尚、他の説明していない構成は、図２（ａ），（ｂ）と同一であるため、説明を省略する。
【００３６】
尚、本発明は、前記第一〜第三実施形態に限定されるものではなく、本発明の要旨を逸脱しない範囲で種々の変更が可能である。
【００３７】
前記第一〜第三実施形態では、支持部材１を構成するシート状部材を紙で構成したが、各種のプラスチックで構成して実施することもできる。
【００３８】
また、前記第一〜第三実施形態では、補強用脚部１５Ａ，１５Ｂ、１６Ａ，１６Ｂと左右脚部１３，１４とで形成される環状の形状が底面視においてほぼ六角形状になっているが、四角形や平行四辺形等、どのような形状であってもよい。
【００３９】
また、前記第一〜第三実施形態では、左右の補強用脚部１５Ａ，１５Ｂ、１６Ａ，１６Ｂの先端部同士を係合することによって、脚部の強度アップを図るようにしたが、左右の補強用脚部１５Ａ，１５Ｂ、１６Ａ，１６Ｂの先端部同士を係合しない構成であってもよい。
【００４０】
また、前記第一実施形態では、蓋体３のある展示用箱を示したが、蓋体３の無い展示専用の展示用箱であってもよい。
【００４１】
また、前記第一実施形態では、後側脚部１７及び化粧板部１８を備えた支持部材１であったが、化粧板部１８を省略した支持部材１であってもよいし、後側脚部１７及び化粧板部１８の両方共省略した支持部材１であってもよい。
【００４２】
また、前記第一〜第三実施形態では、受け部１１の中央に開口１１Ａを形成したが、場合によっては、省略してもよい。この場合、果実を位置決めするための凹凸や突起を受け部１１の上面に設けることが好ましい。
【符号の説明】
【００４３】
１…支持部材、２…箱体、３…蓋体、１１…受け部、１１Ａ…開口、１１Ｈ…片部、１１Ｚ…折り曲げ線、１１ａ，１１ｂ，１１ｃ，１１ｄ…辺、１２…前側脚部、１３，１４…左右脚部、１３ａ，１３ｂ…折り曲げ線、１５Ａ，１５Ｂ，１６Ａ，１６Ｂ…補強用脚部、１５Ａ１，１５Ｂ１，１６Ａ１，１６Ｂ１…先端部、１７…後側脚部、１７Ｋ…切り込み線、１７Ｚ…当接片、１７ａ…折り曲げ線、１８…化粧板部、２１…底壁、２２，２３，２４，２５…側壁、３１…天壁、３２，３３，３４，３５…側壁、１００…支持部材、１０１…受け部、１０１Ａ…開口、１０２…前側脚部、１０３，１０４…左右脚部、１０５…化粧板部、２００…箱体、２０１…前壁、２０２…後壁、２０３…底壁、２０４…側壁、Ｍ…メロン
【図１】
0005970492.tif 000002
【図２】
0005970492.tif 000003
【図３】
0005970492.tif 000004
【図４】
0005970492.tif 000005
【図５】
0005970492.tif 000006
【図６】
0005970492.tif 000007
【図７】
0005970492.tif 000008
【図８】
0005970492.tif 000009
【図９】
0005970492.tif 000010